(57)【特許請求の範囲】
【請求項１】
隣接する浴槽パン及び洗い場パンの縁部同士がパッキンを介して重ね合わせ水密的に連結する床パンの連結構造において、前記浴槽パンの縁部が、上面部と、この上面部から浴槽側に垂下した第一係止部と、上面部から洗い場側に垂下させた第二係止部とを有した、浴槽パンと洗い場パンとが隣接する方向に沿う上向きの凸部を備え、前記洗い場パンが、上げ底部と、この上げ底部から浴槽側に垂下した第一被係止部と、上げ底部から洗い場側に垂下させた第二被係止部とを有した上向きの凸部を備え、前記浴槽パンの凸部と洗い場パンの凸部とが嵌合構造であり、上記上面及び上げ底面から介在する上記パッキンを押圧するリブを設けられた床パンの連結構造。
【発明の詳細な説明】
【０００１】
【発明の属する技術分野】
本発明は、浴室の床パンを構成する洗い場パン及び浴槽パンの縁部同士を水密的に接続する床パンの連結構造に関する。
【０００２】
【従来の技術】
従来の床パンの連結構造を図５に示した。洗い場パン９１と浴槽パン９２の縁部同士を、パッキン９３を介在して突き合わせ、パッキン９３の上側の隙間にシリコン９４をコーキングした構造である。
【０００３】
この構造は、縁部同士を突き合わせる構造であるため、洗い場パンと浴槽パンが離れる方向に外力が加わると、シリコンコーキング及びパッキンが切れ、防水性（水密性）が不十分となることがある。
【０００４】
【発明が解決しようとする課題】
本発明は上記実情を考慮して開発されたもので、その目的は、洗い場パンと浴槽パンが離れる方向に外力が加わっても、防水性（水密性）が保たれる床パンの連結構造を提供することである。
【０００５】
【課題を解決するための手段】
上記目的を達成するため、本発明では次の構成をとった。すなわち、本発明は、隣接する浴槽パン１及び洗い場パン２の縁部同士をパッキン（５，１７）を介して重ね合わせ水密的に連結する床パンの連結構造において、前記浴槽パン１の縁部（洗い場側）には、浴槽パン１と洗い場パン２とが隣接する方向に沿って（並行して）、上向きの凸部３（平面部１０をもち、下向きには凹状）を床パン周縁の壁載せ面７よりも高く形成し、前記洗い場パン２の縁部（浴槽側）には、前記凸部３に下方側から嵌まり込む（上向きの）凸部４を形成し、前記凸部３と前記凸部４とを嵌み合わせることを特徴とする床パンの連結構造である。
【０００６】
ここで、凸部３と凸部４との嵌み合わせに対応させて、凸部３及び凸部４の両方に、あるいはその一方に、好ましくはリブ６ａ／６ｂを設ける。リブを設ける方向は、通常、浴槽パン１と洗い場パン２とが隣接する方向に沿う方向である。なお、パッキンの取付作業の容易さや、パッキンのずれ防止を考慮すると、浴槽パンの凸部にリブを一条走らせ、洗い場パンの凸部にリブを二条走らせ、前記凸部上の二条のリブの上又はその間にパッキンを載置することが好ましい。
【０００７】
また、浴槽パンと洗い場パンの縁部同士（重ね合わせ部）の連結強度を向上させるには、その重ね合わせ部を垂直方向から打ち込むビスで堅結・固定することが好ましい。
【０００８】
また、防水性（水密性）を更に向上するには、凹部３の上面は浴槽パン１及び洗い場パン２の水切り面９よりも高く形成することが好ましい。
【０００９】
【作用】
本発明の連結構造は、浴槽パンの縁部に設けた凸部と、洗い場パンの縁部に設けた凸部との嵌合構造であるので、外側へ引き離す力に対して抵抗力がある。また、その嵌合部は、床パン周縁の壁載せ面よりも高いので、浴室排水に浸かり放しとなることはない。
【００１０】
【発明の実施の形態】
添付図面を参照しながら、本発明を更に具体的に説明する。図１は、本発明の床パンの一例の連結構造の斜視図、図２は同平面図、図３は図２のＡ−Ａ線断面図、図４は図３の部分（点線で表した丸印部分）拡大図である。図１〜図４に示すように、本発明の床パンの連結構造は、浴槽パン１の洗い場側縁部を洗い場パン２の浴槽側縁部の上に重ね、浴槽パン１と洗い場パン２とを各々の上向きの凸部３（これには一条のリブ６ａを設けている）と上向きの凸部４（これには二条のリブ６ｂを設けている）とで遊びのある状態で嵌め合わせ、これを上から打ち込んだビスＶで堅く連結し、浴槽パン１と洗い場パン２の縁部間に挟んだパッキン５を凸部３と凸部４のリブ６ａ／６ｂによって押圧して防水性を確保したものである。なお、図３，４中の符号Ｓは、突き合わせ部分のコーキング剤である。
【００１１】
浴槽パン１の縁部（洗い場側）には、浴槽パン１と洗い場パン２とが隣接する方向に並行して、下向きの凹部（その上側は上面部１０をもつ）を形成し、壁載せ面７の外側には壁支持部８を立ち上げ、壁支持部８の上面を水切り面９としている。
【００１２】
浴槽パン１の縁部の凸部３は、上面部１０と、上面部１０の浴槽側に垂下した第一係止部１１と、上面部１０の洗い場側に垂下した第二係止部１２とからなり、第二係止部１２の下端は壁載せ面７よりも上側である。また、上面部１０の下面にはリブ６ａを設けているほか、上面部１０の適当な場所に堅結用のビス取付孔（ざぐり状）を設けている。また、凸部３の上側の上面部１０は、床パン周縁の壁載せ面７よりも高く、また水切り面９よりも高い位置に形成している。
【００１３】
洗い場パン２の浴槽側の縁部は、浴槽パン１の洗い場側の縁部への重ね合わせ部分となるため、上記浴槽側縁部の凸部３に嵌り込む凸部４を有する。
【００１４】
凸部４は、壁載せ面７よりも高い位置に形成した上げ底部１３と、その上げ底部１３の浴槽側に垂下した第一被係止部１４と、上げ底部１３の洗い場側に垂下した第二被係止部１５とからなる。ここで、第二被係止部１５には、壁載せ面７よりも上側に段部１６を形成し、その段部１６と凸部３の第二係止部１２との間に別のパッキン１７（図４）を介在させ、前述したパッキン５と共に防水性を得るようにしている。
【００１５】
上げ底部１３の上面には、二条のリブ６ｂ，６ｂを凸部に設けたリブ６ａの外側にくるように離して設けてあり、両リブ６ｂ，６ｂを覆うように（又は両リブ６ｂ，６ｂ間に）パッキン５を載せた状態で挟み込む。
【００１６】
上の例では、凸部３と凸部４の間では合計三条のリブによってパッキン５を押圧するので、３箇所で防水性が得られる。
【００１７】
【発明の効果】
本発明の床パンの連結構造によれば、浴槽パンの縁部に設けた凸部と洗い場パンの縁部に設けた凸部との嵌合による連結であるので、洗い場パンと浴槽パンが離れる方向に多少の外力が加わっても、嵌合部が外れることや、パッキンが破損することがなく、防水（水密）性を維持できる。
【００１８】
浴槽パンの凸部と洗い場パンの凸部との嵌み合わせに対応させて、凸部の両方に、又はその一方にリブを設けたものでは、そのリブが浴槽パンの凸部と洗い場パンの凸部の間に介在するパッキンを押圧し防水性（水密性）を高める。また、リブを浴槽パンの凸部に一条、洗い場パンの凸部に二条設けたものでは、合計三条のリブに押圧されたパッキンで防水性（水密性）が更に高まると共に、外力に対してパッキンがズレにくい。
【００１９】
さらに、上下に打ち込むビスによって浴槽パンの凸部と洗い場パンの凸部とを連結すれば、外力が加わる方向に対してビスの方向が直角なので、浴槽パン及び洗い場パンの縁部同士の連結強度が一段と向上する。
【００２０】
その上、浴槽パンの凸部の上面を浴槽パン及び洗い場パンの水切り面よりも高くすれば、防水性（水密性）は一段と向上する。
【図面の簡単な説明】
【図１】本発明の床パンの連結構造を示す斜視図である。
【図２】本発明の床パンの連結構造を示す平面図である。
【図３】図２のＡ−Ａ線断面図である。
【図４】図３の部分拡大図である。
【図５】従来の床パンの連結構造を示す断面図である。
【符号の説明】
１：浴槽パン、２：洗い場パン、３：凸部、４：凸部、５：パッキン、６ａ：（凹部に設けた）リブ、６ｂ：（凸部に設けた）リブ、７：壁載せ面、８：壁支持部、９：水切り面、１０：上面部、１１：第一係止部、１２：第二係止部、１３：上げ底部、１４：第一被係止部、１５：第二被係止部、１６：段部、１７：パッキン、Ｖ：ビス、Ｓ：コーキング剤
【図１】
0003922433.tif 000002
【図２】
0003922433.tif 000003
【図３】
0003922433.tif 000004
【図４】
0003922433.tif 000005
【図５】
0003922433.tif 000006